(57)【要約】【課題】カラーホイールを有する画像形成装置用の光源として利用される放電ランプに対し、従来よりも安定して照度を維持できる点灯装置を提案する。【解決手段】点灯装置は、放電ランプからの光が照射される対象の色領域が切り替わるタイミングに同期した同期信号が入力され、同期信号に基づいて極性が反転するパルス波を発生するパルス発生部を有する。パルス発生部は、カラーホイールが１回転する時間内にパルス波の極性が反転する極性反転頻度を異ならせた３種類以上の制御パターンを実行する。同一種類の制御パターンが所定回数だけ繰り返して実行された後、極性反転頻度が最小値から最大値に達するまで増加し、最大値に達した後に最小値に達するまで低下するように、複数種類の制御パターンが組み合わせられる。各制御パターンの連続実行回数は、放電ランプに供給されるランプ電圧に応じて設定される。【選択図】        図５
2018018721.tif 000002
【特許請求の範囲】
【請求項１】
複数の色領域が形成され、臨界融合周波数よりも高い周波数で回転可能なカラーホイールを有し、所定のガスが封入された放電容器内に一対の電極が対向配置されてなる画像形成装置用の放電ランプ点灯装置であって、
前記放電ランプからの光が照射される対象の前記色領域が切り替わるタイミングに同期した同期信号が入力されると共に、前記同期信号に基づいて極性が反転するパルス波を発生するパルス発生部と、
直流電圧が供給され、前記パルス波の周波数に応じた交流電流に変換して前記放電ランプに前記交流電流を供給する給電部を備え、
前記パルス発生部は、
前記カラーホイールが所定数回転する時間内に前記パルス波の極性が反転する頻度である極性反転頻度を異ならせた３種類以上の制御パターンを実行することで前記パルス波を発生する構成であって、
同一種類の前記制御パターンを、所定回数だけ繰り返して実行した後、前記極性反転頻度が最小値から最大値に達するまで増加し、前記最大値に達した後に前記最小値に達するまで低下するように、複数種類の前記制御パターンを組み合わせながら実行し、
それぞれの前記制御パターンの連続実行回数が、前記放電ランプに供給されるランプ電圧に応じて設定されており、
前記極性反転頻度が前記最小値を示す前記制御パターンの連続実行回数は、前記放電ランプに供給されるランプ電圧が第一電圧値である場合と比較して、前記第一電圧値よりも高い第二電圧値において多くなるように設定されていることを特徴とする放電ランプ点灯装置。
【請求項２】
前記パルス発生部は、前記制御パターンの種類を切り替える前後における照度変動率が、それぞれの前記制御パターンの発現周波数に応じたチラツキ視認臨界変動率を下回るように、複数種類の前記制御パターンを組み合わせながら実行することを特徴とする請求項１に記載の放電ランプ点灯装置。
【請求項３】
前記極性反転頻度が前記最大値の１／２を下回る前記制御パターンの連続実行回数は、前記ランプ電圧が前記第一電圧値である場合と比較して、前記第二電圧値における回数が多いことを特徴とする請求項１又は２に記載の放電ランプ点灯装置。
【請求項４】
前記極性反転頻度が前記最大値を示す前記制御パターンは、前記カラーホイールが１回転する時間内に、前記同期信号が入力される都度極性が反転される態様であり、
前記極性反転頻度が前記最小値を示す前記制御パターンは、前記カラーホイールが１回転する時間内に、同一の極性が維持される態様であることを特徴とする請求項１〜３のいずれか１項に記載の放電ランプ点灯装置。
【請求項５】
請求項１〜４のいずれか１項に記載の前記放電ランプ点灯装置と、
前記放電ランプ点灯装置からの電流供給を受けて点灯する放電ランプと、
複数の色領域を有して回転可能な構成であって、一の前記色領域に前記放電ランプからの光を通過させて前記色領域に対応した色の光を出力するカラーホイールと、
前記カラーホイールの回転駆動を行うカラーホイール駆動部と、
前記カラーホイール駆動部からの信号に基づいて、前記放電ランプ点灯装置に前記同期信号を出力する制御処理部と、を備えたことを特徴とする画像形成装置。
【発明の詳細な説明】
【技術分野】
【０００１】
本発明はプロジェクタなどの光源に好適に使用される放電ランプの点灯装置に関する。また、本発明はこの点灯装置を備えた画像形成装置に関する。
【背景技術】
【０００２】
放電ランプを光源とするデータプロジェクタ装置には、大きく分けて２種類の装置がある。１つは、液晶方式であり、高圧放電ランプより放射された光をＲＧＢ三色の液晶パネルに投影するものである。もう１つは、ＤＭＤ（デジタル・ミラー・デバイス）を利用する方式であり、高圧放電ランプより放射された光を、カラーホイールを介してＤＭＤに投影するものである。
【０００３】
このような放電ランプとしては、透明なガラス製放電容器の内部に例えば水銀が０．２ｍｇ／ｍｍ3以上封入されて、点灯時の容器内の圧力が２００気圧以上にもなるものが使用されている。水銀蒸気圧を高くすることにより、可視波長域の光を高い出力で得ることが可能になる。
【０００４】
図８Ａ及び図８Ｂに、放電ランプの断面模式図を示す。図８Ｂは、図８Ａの電極先端付近を拡大した断面模式図である。
【０００５】
図８Ａに示すように、放電ランプ１０は、放電容器によって形成されたほぼ球形の発光部１１を有する。この発光部１１の中には、一対の電極２０ａ，２０ｂが２ｍｍ以下という極めて小さい間隔で対向して配置されている。
【０００６】
また、発光部１１の両端には封止部１２が形成される。封止部１２には、導電用の金属箔１３が気密に埋設されており、金属箔１３の一端には、電極２０ａ，２０ｂの軸部（３０ａ，３０ｂ）が接合している。また、金属箔１３の他端には、外部リード１４が接合し、図示しない給電部から電力が供給される。
【０００７】
このような放電ランプ１０は、点灯中、発光管の発光部１１内に対向配置された一対の電極２０ａ、２０ｂの先端側表面にそれぞれ突起２１が形成され、この突起２１間に放電アーク２２が保持されることにより、安定的な点灯状態が維持される（図８Ｂ，図９Ａ参照）。
【０００８】
一方、放電ランプ１０を長期間同じ状態で点灯した場合には、高温により微小な突起２３が複数形成されたり、電極の先端表面部に微小な凹凸が発生したりすることがある（図９Ｂ参照）。これら微小突起２３や凹凸は、電極２０ａ，２０ｂを構成する材料（例えばタングステン）が溶融し、発光部１１内に封入されたガスと結合して生じた化合物が凝集して生じたものであり、この存在が電極先端の表面部の形状を変化させる。これに伴ってアークの起点が移動し、放電位置が不安定となり、照度低下やチラツキが発生することが知られている。
【０００９】
このような問題を解決するため、下記特許文献１には、所定の周波数（基本周波数）のパルス波Ｐ１の電流波形を放電ランプに供給すると共に、基本周波数よりも低周波のパルス波Ｐ２の電流波形を前記基本周波数のパルス波に間欠的又は周期的に挿入する放電ランプの点灯方式が開示されている（図１０参照）。より詳細には、基本周波数を６０〜１０００Ｈｚの範囲から選択された一の周波数とし、低周波の周波数を５〜２００Ｈｚの範囲から選択された一の周波数とする。
【００１０】
パルス波を低周波とすることで、一方の電極が陽極に、他方の電極が陰極に固定化される期間、つまり両電極間に一方向に高電圧が印加される期間が長くなる。この結果、電極に対する加熱の度合いが高まり、電極先端のみならず先端から離れた箇所に対しても熱を伝達させることができる。よって、低周波のパルス波が印加される間、電極先端から離れた箇所に対しても熱が伝達され、かかる箇所に生じていた微小突起や凹凸を溶融、蒸発させることができる。これにより、アーク起点となるべき突起ではなく、むしろ悪影響を及ぼし兼ねない電極先端部以外の突起や凹凸を消滅させることができる。
【００１１】
また、下記特許文献２には、カラーホイールを利用する方式に対応した点灯装置に関する記述がある。この文献には、カラーホイールの色領域（セグメント）が切り替わるタイミングと同期して、パルス波の極性反転を行うことが記載されている。セグメントの切替タイミングと同期してパルス波の極性反転を行うことで、チラツキを防止する狙いがある。
【先行技術文献】
【特許文献】
【００１２】
【特許文献１】特許第４４１６１２５号公報
【特許文献２】特許第５１４１７０３号公報
【発明の概要】
【発明が解決しようとする課題】
【００１３】
本発明者らは、電極の突起の位置や形状を安定化させるべく、カラーホイールを有するプロジェクタに対応した放電ランプ点灯装置の制御を、特許文献１及び２の技術を利用して行うことを検討した。すなわち、パルス波の極性を反転させるタイミングを、カラーホイールの回転周波数に対応させつつ、基本周波数のパルス波に対して間欠的又は周期的に低周波のパルス波を挿入するようにして、点灯装置を制御した。しかし、このような制御を行いながら放電ランプからの光を利用して画像を表示させ続けた場合、チラツキが視認されるケースが発現することが確認された。
【００１４】
本発明は、上記の課題に鑑み、カラーホイールを有する画像形成装置用の光源として利用される放電ランプに対し、従来よりも安定して照度を維持できる点灯方法を提案することを目的とする。すなわち、本発明は、このような点灯制御が可能な放電ランプの点灯制御装置を実現することを目的とする。また、本発明は、このような点灯制御装置によって点灯制御される放電ランプを含む画像形成装置を実現することを目的とする。
【課題を解決するための手段】
【００１５】
複数の色領域が形成され、臨界融合周波数よりも高い周波数で回転可能なカラーホイールを有し、所定のガスが封入された放電容器内に一対の電極が対向配置されてなる画像形成装置用の放電ランプ点灯装置であって、
前記放電ランプからの光が照射される対象の前記色領域が切り替わるタイミングに同期した同期信号が入力されると共に、前記同期信号に基づいて極性が反転するパルス波を発生するパルス発生部と、
直流電圧が供給され、前記パルス波の周波数に応じた交流電流に変換して前記放電ランプに前記交流電流を供給する給電部を備える。
【００１６】
前記パルス発生部は、
前記カラーホイールが所定数回転する時間内に前記パルス波の極性が反転する頻度である極性反転頻度を異ならせた３種類以上の制御パターンを実行することで前記パルス波を発生する構成であって、
同一種類の前記制御パターンを、所定回数だけ繰り返して実行した後、前記極性反転頻度が最小値から最大値に達するまで増加し、前記最大値に達した後に前記最小値に達するまで低下するように、複数種類の前記制御パターンを組み合わせながら実行する。
【００１７】
それぞれの前記制御パターンの連続実行回数が、前記放電ランプに供給されるランプ電圧に応じて設定されている。特に、前記極性反転頻度が前記最小値を示す前記制御パターンの連続実行回数は、前記放電ランプに供給されるランプ電圧が第一電圧値である場合と比較して、前記第一電圧値よりも高い第二電圧値において多くなるように設定されている
【００１８】
本発明者らは、鋭意研究の結果、従来の放電ランプで映像を投射した場合にチラツキが視認される原因として、高周波の電流で点灯される区間と低周波の電流で点灯される区間とで、放電ランプの照度が、視認されやすい程度にまで変化していることが原因の一つであると結論づけた。
【００１９】
すなわち、高周波の電流で点灯される場合には、同一時間内にパルス波が極性反転する回数が多い。このことは、同一時間内に、パルス波の波高値が瞬間的にゼロ点を通過する頻度が高いことを意味する。一方、低周波の電流で点灯される場合には、同一時間内にパルス波が極性反転する回数が少ない。このことは、同一時間内に、パルス波の波高値が瞬間的にゼロ点を通過する頻度が低いことを意味する。つまり、高周波の電流で点灯されている期間における照度が、低周波の電流で点灯されている期間における照度よりも低くなってしまう。
【００２０】
ところで、照度が所定の周期（周波数）で変化する場合において、人間の目では視認できる変化態様と、視認されない変化態様が存在することが知られている。つまり、変化する周波数が低すぎる場合においても、高すぎる場合においても、人間の目ではチラツキとして視認されない。チラツキとして視認される周波数の上限値は、臨界融合周波数（ＣＦＦ：Critical Fusion Frequency）と呼ばれることがある。
【００２１】
例えば、パルス電流で点灯される場合、上述したように、瞬間的に電流値がゼロ点に達する。この時点と、パルス波の波高値を示す時点とでは、本来であれば照度に差が生じる。しかし、このパルス電流の周波数は、臨界融合周波数より高い周波数であるため、人間の目には、この照度の変化が視認されない。
【００２２】
しかし、高周波のパルス電流で駆動される期間と、低周波のパルス電流で駆動される期間が交互に登場する場合において、各期間自体の周波数は、チラツキとして視認可能な周波数の範囲に属する場合がある。例えば、９０ｍｓの期間にわたって高周波のパルス電流で駆動された後、１０ｍｓの期間にわたって低周波のパルス電流で駆動されるという制御が繰り返される場合を想定すると、それぞれの期間は１０Ｈｚの周波数で登場することになる。
【００２３】
図１は、明るさを一定の周期で変化させた場合における、変化の周波数と視感度の関係を示すグラフである。縦軸は最も高い視感度を１としたときの視感度の相対値を示す。横軸は、明るさの変動周波数を示す。図１によれば、１０Ｈｚ近傍において視感度が最も高いことが分かる。つまり、従来の方法であれば、この１０Ｈｚ近傍の周波数で照度が変化することで、チラツキとして視認されていたものと推察される。
【００２４】
ところで、図１を参照すると、４０Ｈｚ近傍及び０．１Ｈｚ近傍における視感度係数の値は、１０Ｈｚにおける視感度係数の値の約１／５である。このことは、ある照度変動幅Ｘ１で１０Ｈｚの変動周波数の下でチラツキが視認されなかったとすると、変動周波数が４０Ｈｚ近傍である場合、及び０．１Ｈｚ近傍である場合には、照度の変動幅を５×Ｘ１まで増加しても、チラツキとして視認されないことを意味するものである。つまり、変動周波数が１０Ｈｚから離れるほど、視認されない範囲内の照度変動幅の許容域が広がることを意味する。逆に、変動周波数が１０Ｈｚに近い場合には、照度変動幅を小さくしなければチラツキとして視認されやすいことを意味する。
【００２５】
上記の構成では、パルス波の極性反転頻度を異ならせた３種類以上の制御パターンが実行される。そして、これら複数種類の制御パターンは、極性反転頻度が最小値から最大値に達するまで低下させることなく増加し、最大値に達した後に最小値に達するまで増加させることなく低下するように組み合わせながら実行される。つまり、制御パターンが切り替えられる前後における照度変動幅（照度変動率）が、従来よりも抑制される。この結果、従来よりもチラツキとして視認されにくい駆動制御が実現される。
【００２６】
ところで、放電ランプは、点灯時間が長くなると、不可避的に極間の距離が伸び、ランプ電圧が上昇する。放電ランプは定電力制御が行われるため、ランプ電圧の上昇に伴って放電ランプに投入される電流量が低下する。このため、電極のトリートメントの目的で低周波のパルス電流で駆動する、すなわち極性を一定にしたとしても、電極を溶融するのに十分な熱量を電極に供給することができない可能性がある。そこで、ランプ電圧が高い場合（第二電圧値）には、極性反転の頻度が最も少ない制御パターンの連続実行回数を多くしている。
【００２７】
逆に、ランプ電圧が低い場合には、放電ランプに対して高い電流量が投入される。このため、極性反転の頻度が少ない制御パターンの連続実行回数があまりに多いと、電極先端の温度が上がりすぎて、電極の形状が変形し、アークを安定的に維持することができなくなる。このため、ランプ電圧が低い場合（第一電圧値）には、極性反転の頻度が最も少ない制御パターンの連続実行回数を少なくしている。
【００２８】
このような制御が実行されることで、長期にわたる電極形状の安定化を図りつつ、チラツキを抑制する効果が得られる。
【００２９】
前記パルス発生部は、前記制御パターンの種類を切り替える前後における照度変動率が、それぞれの前記制御パターンの発現周波数に応じたチラツキ視認臨界変動率を下回るように、複数種類の前記制御パターンを組み合わせながら実行する構成であるのが好ましい。
【００３０】
図２は、図１に基づいて、周波数毎の、チラツキがギリギリ視認されない範囲内の照度変動率をグラフ化したものである。このグラフは、変動周波数が２０Ｈｚの場合における照度変動率を０．１％とし、この値と、図１の結果に基づいて作成されたものである。ここで「照度変動率」とは、照度が変動する前後の変動幅を、照度が変動する直前の照度で除した値に対応する。
【００３１】
照度変動率が、図２に示されるグラフの値よりも抑制されていれば、チラツキとして視認されないことを意味する。このグラフによって示されている値を、「チラツキ視認臨界変動率」と定義する。
【００３２】
図１を参照して上述したように、視感度の最も高い１０Ｈｚ近傍においては、チラツキが視認されない範囲内の照度変動率が最も小さい。そして、１０Ｈｚから離れるほど、チラツキが視認されない範囲内における照度変動率の許容幅が広がる。実行される制御パターンの種類が変化することで照度が変動するが、この照度変動率をチラツキ視認臨界変動率以内に抑制することで、チラツキを視認させることなく電極先端の形状を安定にすることができる。
【００３３】
前記極性反転頻度が前記最大値の１／２を下回る前記制御パターンの連続実行回数は、前記ランプ電圧が前記第一電圧値である場合と比較して、前記第二電圧値における回数が多いものとしても構わない。
【００３４】
上記の構成によれば、より長期的にフリッカの抑制効果が奏される。
【００３５】
なお、前記極性反転頻度が前記最大値の１／２を下回る前記制御パターンの連続実行回数は、前記ランプ電圧が高くなるに連れて多くなるように設定されているものとしても構わない。
【００３６】
前記極性反転頻度が前記最大値を示す前記制御パターンは、前記カラーホイールが１回転する時間内に、前記同期信号が入力される都度極性が反転される態様であり、
前記極性反転頻度が前記最小値を示す前記制御パターンは、前記カラーホイールが１回転する時間内に、同一の極性が維持される態様であるものとしても構わない。
【００３７】
また、本発明に係る画像形成装置は、
上記の特徴を有する前記放電ランプ点灯装置と、
前記放電ランプ点灯装置からの電流供給を受けて点灯する放電ランプと、
複数の色領域を有して回転可能な構成であって、一の前記色領域に前記放電ランプからの光を通過させて前記色領域に対応した色の光を出力するカラーホイールと、
前記カラーホイールの回転駆動を行うカラーホイール駆動部と、
前記カラーホイール駆動部からの信号に基づいて、前記放電ランプ点灯装置に前記同期信号を出力する制御処理部と、を備えたことを特徴とする。
【発明の効果】
【００３８】
本発明の放電ランプ点灯装置によれば、カラーホイールを有する画像形成装置用の光源として利用される放電ランプに対し、従来よりも安定して照度を維持できる点灯制御が実現される。
【図面の簡単な説明】
【００３９】
【図１】明るさを一定の周期で変化させた場合における、変化の周波数と視感度の関係を示すグラフである。
【図２】チラツキがギリギリ視認されない範囲内の照度変動率を周波数毎に示すグラフである。
【図３】カラーホイールを利用する方式の画像形成装置の構成の一例を模式的に示すブロック図である。
【図４】カラーホイールの模式図である。
【図５】放電ランプ点灯装置の構成を模式的に示す回路ブロック図である。
【図６Ａ】パルス発生部から発生されるパルス波Ｐの波形の一部を模式的に示した図面である。
【図６Ｂ】パルス発生部から発生されるパルス波Ｐの波形の一部を模式的に示した図面である。
【図６Ｃ】パルス発生部から発生されるパルス波Ｐの波形の一部を模式的に示した図面である。
【図６Ｄ】パルス発生部から発生されるパルス波Ｐの波形の一部を模式的に示した図面である。
【図６Ｅ】パルス発生部から発生されるパルス波Ｐの波形の一部を模式的に示した図面である。
【図６Ｆ】パルス発生部から発生されるパルス波Ｐの波形の一部を模式的に示した図面である。
【図７Ａ】本実施形態の点灯装置によって点灯制御された場合における放電ランプから発せられる光の照度変動率を、周波数毎に解析してグラフ化したものである。
【図７Ｂ】制御パターンＡとＦのみを用いて点灯制御した場合における、放電ランプから発せられる光の照度変動率を、周波数毎に解析してグラフ化したものである。
【図８Ａ】放電ランプの断面模式図である。
【図８Ｂ】放電ランプの電極先端付近を拡大した断面模式図である。
【図９Ａ】放電アークが形成されて安定的に点灯状態が維持されている状態における電極先端付近を拡大した断面模式図である。
【図９Ｂ】電極先端以外の箇所に微小突起が形成されている状態における電極先端付近を拡大した断面模式図である。
【図１０】従来のランプ電流波形の一例を示す図である。
【発明を実施するための形態】
【００４０】
本発明の放電ランプ点灯装置の実施形態につき、図面を参照して説明する。なお、各図において図面の寸法比と実際の寸法比は必ずしも一致しない。
【００４１】
［ランプの構成］
まず初めに、本発明の点灯装置によって点灯制御される対象となる放電ランプの構成の一例について、図８Ａ及び図８Ｂを参照して説明する。なお、本発明の点灯装置によって点灯制御される対象となる放電ランプは、以下で説明される構成に限定されるものではない。
【００４２】
放電ランプ１０は、石英ガラスからなる放電容器によって形成された、ほぼ球形の発光部１１を有する。放電容器の材料は石英ガラスに限定されず、他の材料で構成されていても構わない。この発光部１１の中には、一対の電極２０ａ，２０ｂが例えば２ｍｍ以下という極めて小さい間隔で対向配置している。
【００４３】
発光部１１の両端部には封止部１２が形成される。この封止部１２には、モリブデンなどよりなる導電用の金属箔１３が、例えばシュリンクシールにより気密に埋設されている。金属箔１３の一端には電極２０ａ，２０ｂの軸部が接合しており、また、金属箔１３の他端には外部リード１４が接合し、後述する本発明の放電ランプ点灯装置から電力が供給される構成である。
【００４４】
本実施形態における放電ランプ１０の発光部１１には、例えば、水銀，希ガス，及びハロゲンガスが封入されている。
【００４５】
水銀は、必要な可視光波長（例えば波長３６０〜７８０ｎｍ）の放射光を得るためのものであり、具体的数値でいうと、０．２０ｍｇ／ｍｍ3以上封入されている。この封入量は温度条件によっても異なるが、点灯時における発光部内部の圧力を２００気圧以上という高い蒸気圧を実現するものである。また、水銀をより多く封入することで点灯時の水銀蒸気圧２５０気圧以上、３００気圧以上という高い水銀蒸気圧の高圧放電ランプを作ることができ、水銀蒸気圧が高くなるほどプロジェクタに適した光源を実現できる。
【００４６】
希ガスとしては、例えばアルゴンガスが約１３ｋＰａ封入される。その機能は点灯始動性を改善することにある。
【００４７】
また、ハロゲンガスとしては、ヨウ素、臭素、塩素などが水銀又はその他の金属との化合物形態で封入される。ハロゲンの封入量は、１０-6μｍｏｌ／ｍｍ3〜１０-2μｍｏｌ／ｍｍ3の範囲から選択される。ハロゲンを封入する最大の理由は、いわゆるハロゲンサイクルを利用した放電ランプの長寿命化のためである。また、放電ランプ１０が小型で且つ高い点灯蒸気圧のものとして設計されている場合には、ハロゲンを封入することで、放電容器の失透防止という作用も得られる。失透とは、準安定のガラス状態から結晶化が進行し、多くの結晶核から成長した結晶粒の集合体へと変化することをいう。仮にこのような現象が生じると、結晶の粒界で光が散乱されて放電容器が不透明になってしまう。
【００４８】
なお、本発明において、同様の機能を実現できるのであれば、発光部１１に封入されるガスは上記ガスに限定されるものではない。
【００４９】
放電ランプ１０の一実施例としては、発光部の最大外径９．４ｍｍ、電極間距離１．０ｍｍ、放電容器内容積５５ｍｍ3、定格電圧７０Ｖ、定格電力１８０Ｗであり交流方式で電力が供給される構成とすることができる。
【００５０】
また、放電ランプ１０は、小型化が進行するプロジェクタに内蔵されることが想定されており、全体寸法として極めて小型化が要請され、その一方で高い発光光量も要求される。このため、発光部内の熱的影響は極めて厳しいものとなり、ランプの管壁負荷は０．８〜２．５Ｗ／ｍｍ2、具体的には２．４Ｗ／ｍｍ2となる。このように、高い水銀蒸気圧や管壁負荷値を有する放電ランプ１０が、プロジェクタやオーバーヘッドプロジェクタのようなプレゼンテーション用機器に搭載されることで、プレゼンテーション用機器に演色性の良い放射光を提供することができる。
【００５１】
［電極先端の形状］
図８Ｂに示すように、電極２０ａは頭部２９ａと軸部３０ａによって構成され、電極２０ｂは頭部２９ｂと軸部３０ｂによって構成される。そして、電極２０ａ及び電極２０ｂには、いずれも先端に突起２１が形成されている。この突起２１は、ランプ点灯時、電極先端において溶融した電極材料が凝集して形成されるものである。本実施形態では、電極２０ａ及び電極２０ｂがいずれもタングステンで構成されるものとして説明するが、材料はこれに限定されるものではない。
【００５２】
電極２０ａ及び電極２０ｂに対して通電がされると、白熱して高温化され、これらを構成するタングステンが昇華する。昇華したタングステンは、比較的に低温部である発光部１１の内壁面領域において、封入されていたハロゲンガスと結合して、ハロゲン化タングステンを形成する。ハロゲン化タングステンの蒸気圧は比較的高いことから、ガスの状態で再び電極２０ａ及び電極２０ｂの先端付近に再び移動する。そして、この箇所で再度加熱されると、ハロゲン化タングステンはハロゲンとタングステンに分離される。このうちタングステンは、電極２０ａ及び電極２０ｂの先端に戻って凝集され、ハロゲンは発光部１１内のハロゲンガスとして復帰する。これをハロゲンサイクルと呼ぶ。なお、この凝集されたタングステンが、電極２０ａ及び電極２０ｂの先端近傍に付着することで、突起２１が形成される。
【００５３】
［画像形成装置の構成］
次に、点灯装置の構成に先駆けて、本発明の点灯装置の利用が想定される画像形成装置の構成について、図面を参照して説明する。
【００５４】
図３はカラーホイールを利用する方式の画像形成装置の構成の一例を模式的に示すブロック図である。ここでは、画像形成装置６０として、単板式のプロジェクタを想定している。画像形成装置６０は、光源装置６１、カラーホイール６３、ロッドインテグレータ６４、光学素子６５、ＤＭＤ素子６６、光学系６７などを備える。
【００５５】
光源装置６１は、放電ランプ１０及び凹面反射鏡６２を備える。放電ランプ１０は交流点灯タイプのランプであり、ランプのアーク輝点と凹面反射鏡６２の第一焦点がほぼ一致するように配置されている。
【００５６】
凹面反射鏡６２からの反射光は、カラーホイール６３を介してロッドインテグレータ６４に入射される。カラーホイール６３は、図４に示すように、スポーク７５によって複数の色領域（ここでは、Ｗ１，Ｗ２，Ｒ，Ｇ，Ｂ）によって分割されている。カラーホイール６３は、カラーホイール駆動部６８によって回転、停止などの駆動制御が行なわれ、所定の光集光領域７２を通過した光がロッドインテグレータ６４に入射される。
【００５７】
本実施形態では、カラーホイール６３が、白（Ｗ１，Ｗ２）、赤（Ｒ）、緑（Ｇ）、青（Ｂ）の各色によって構成されているものとするが、色の数や分割方法はこの形態に限られるものではない。なお、カラーホイール６３は、白色領域としてＷ１，Ｗ２の２領域を有しているが、どちらの領域を通過した場合でも同一波長の白色光が生成されるものとして構わない。
【００５８】
画像形成装置６０は、演算を行うプロセッサ、演算に必要なプログラム等の情報を記憶するＲＯＭ、及び一時的に発生した情報を記憶するＲＡＭなどからなる制御処理部６９を備える。この制御処理部６９は、画像形成装置６０全体の動作を制御する処理を行う。前述のカラーホイール駆動部６８は、制御処理部６９に接続されており、制御処理部６９からの制御信号に基づいて駆動用の信号をカラーホイール６３に出力する。
【００５９】
カラーホイール６３には色領域の位置を決定するために、カラーホイール６３の回転部にマーク（不図示）が備えられている。カラーホイール駆動部６８は、このマークを読み取るためのセンサ（不図示）を備えており、このセンサにより、カラーホイール６３の回転位置検出信号Ｓｃを生成して制御処理部６９に出力する。制御処理部６９は、この回転位置検出信号Ｓｃによって、動作中、どの色領域を通過した光がスクリーンに投影されているかを認識する。
【００６０】
制御処理部６９は、ＤＶＤプレーヤーやパソコンなどの映像出力機器７０からの画像信号を受け付け、画像信号の垂直同期信号Ｓｚに応じた回転制御信号Ｓｄをカラーホイール駆動部６８へ出力する。カラーホイール駆動部６８は、制御処理部６９からの回転制御信号Ｓｄに従って、カラーホイール６３を一定速度で回転させる。制御処理部６９は、カラーホイール６３の回転位置に合わせてデバイス制御部７１の動作を制御し、画像信号に基づいた各色用の画像を映像表示素子で表示させる。すなわち、カラーホイール駆動部６８は、カラーホイールの回転速度を、映像出力機器７０から入力される信号に基づいて決定している。
【００６１】
ＤＭＤ素子６６には、ＤＭＤ素子６６に必要な画像を形成させる処理を行うデバイス制御部７１が接続されている。このデバイス制御部７１も制御処理部６９に接続されている。
【００６２】
凹面反射鏡６２からの反射光は、カラーホイール６３上に形成される光集光領域７２（図４参照）を透過する。カラーホイール６３が回転することにより、光集光領域７２に対応する色が順次、後段のロッドインテグレータレンズ６４に導かれる。つまり、白（Ｗ１，Ｗ２）、青（Ｂ）、緑（Ｇ）、赤（Ｒ）の各色が時間分割的に投影されるため、瞬間的にはいずれかの色しかＤＭＤ素子６６を介してスクリーンに投影されないが、人間の視覚的にはこれらの色又はその混合色が画像として認識される。
【００６３】
なお、白（Ｗ１，Ｗ２）は画像を全体に明るくするためのものであり、一定周期ごとに白色が投影されることで画像全体を明るくする効果が得られる。例えば、カラーホイール６３が１８０Ｈｚで回転（毎秒１８０回転）する場合、１秒間に白（Ｗ１，Ｗ２）、青（Ｂ）、緑（Ｇ）、赤（Ｒ）が１８０回投影されることとなる。
【００６４】
図４に示すカラーホイール６３に構成される各色領域の面積は、最終的な画像の色バランスや明るさを考慮して規定されるものとして構わない。なお、カラーホイール６３上に仮想的に形成される光集光領域７２は例えば３．６×４．８ｍｍの矩形形状である。
【００６５】
点灯装置１は、制御処理部６９に接続されており、制御処理部６９からカラーホイール６３の色領域の切替タイミングに同期した同期信号Ｓｂが供給される。点灯装置１は、この同期信号Ｓｂに基づいてパルス波の極性を反転させる。
【００６６】
［点灯装置の構成］
次に、点灯装置１の具体的な構成について、図面を参照して説明する。図５は、点灯装置１の構成を模式的に示す回路ブロック図である。図５に示すように、点灯装置１は、給電部３とパルス発生部４を含んで構成される。パルス発生部４から出力されたパルス波Ｐに基づき、給電部３で生成された交流電流が放電ランプ１０に供給されることで、放電ランプ１０が点灯する。
【００６７】
（給電部）
給電部３は、降圧チョッパ部３１、ＤＣ／ＡＣ変換部３２、及びスタータ部３３を備える。
【００６８】
降圧チョッパ部３１は、供給される直流電圧Ｖｄｃを所望の低電圧に降圧し、後段のＤＣ／ＡＣ変換部３２に出力する。図５では、具体的な構成例として、降圧チョッパ部３１は、スイッチング素子Ｑｘ、リアクトルＬｘ、ダイオードＤｘ、平滑コンデンサＣｘ、抵抗Ｒｘ、及び分圧抵抗Ｖｘを有するものが図示されている。
【００６９】
スイッチング素子Ｑｘは、直流電圧Ｖｄｃが供給される＋側電源端子に一端が接続され、他端がリアクトルＬｘの一端に接続される。ダイオードＤｘは、カソード端子がスイッチング素子Ｑｘ及びリアクトルＬｘの接続点に接続され、アノード端子が−側電源端子に接続される。平滑コンデンサＣｘは、一端がリアクトルＬｘの出力側端子に接続され、他端（−側端子）が抵抗Ｒｘの出力側端子に接続される。抵抗Ｒｘは、平滑コンデンサＣｘの−側端子とダイオードＤｘのアノード端子の間に接続され、電流検出の機能を実現している。また、分圧抵抗Ｖｘは、平滑コンデンサＣｘの−側端子と＋側端子の間に接続され、電圧検出の機能を実現している。
【００７０】
スイッチング素子Ｑｘは、電力制御部３４が出力するゲート信号Ｇｘによって駆動される。このゲート信号Ｇｘのデューティにより、降圧チョッパ部３１は入力直流電圧Ｖｄｃをこのデューティに応じた電圧に降圧して後段のＤＣ／ＡＣ変換部３２に出力する。
【００７１】
ＤＣ／ＡＣ変換部３２は、入力された直流電圧を所望の周波数の交流電圧に変換して、後段のスタータ部３３に出力する。図５では、具体的な構成例として、ＤＣ／ＡＣ変換部３２が、ブリッジ状に接続したスイッチング素子Ｑ１〜Ｑ４から構成されたものが図示されている（フルブリッジ回路）。
【００７２】
スイッチング素子Ｑ１は、ドライバ３５から出力されるゲート信号Ｇ１によって駆動される。同様に、スイッチング素子Ｑ２はゲート信号Ｇ２によって駆動され、スイッチング素子Ｑ３はゲート信号Ｇ３によって駆動され、スイッチング素子Ｑ４はゲート信号Ｇ４によって駆動される。ドライバ３５は、対角に配置されたスイッチング素子Ｑ１及びＱ３の組と、スイッチング素子Ｑ２及びＱ４の組に対して、交互にオン／オフを繰り返すようにゲート信号を出力する。これにより、スイッチング素子Ｑ１及びＱ２の接続点と、スイッチング素子Ｑ３及びＱ４の接続点の間に、矩形波状の交流電圧が発生する。
【００７３】
スタータ部３３は、放電ランプ１０の始動時に、ＤＣ／ＡＣ部３２から供給される交流電圧を昇圧して放電ランプ１０に供給するための回路部である。図５では、具体的な構成例として、スタータ部３３が、コイルＬｈ及びコンデンサＣｈで構成されたものが図示されている。放電ランプ１０の始動時に、コイルＬｈ、コンデンサＣｈからなるＬＣ直列回路の共振周波数近傍の高いスイッチング周波数（例えば数百ｋＨｚ）の交流電圧をＤＣ／ＡＣ部３２から印加することで、スタータ部３３の二次側において放電ランプ１０の始動に必要な高い電圧が生成され、これが放電ランプ１０に供給される。なお、放電ランプ１０が点灯した後は、ＤＣ／ＡＣ部３２から供給される交流電圧の周波数が定常周波数（例えば６０〜１０００Ｈｚ）に移行され、定常点灯動作が行われる。なお、定常点灯動作には、後述される制御内容が含まれる。
【００７４】
なお、上記回路において、スタータ部３３に供給される交流電圧の周波数の変更は、ＤＣ／ＡＣ部３２におけるスイッチング素子Ｑ１及びＱ４の組と、スイッチング素子Ｑ２及びＱ３の組のオン／オフ切替の周期を調整することで達成できる。また、スタータ部３３に供給される交流電圧の波高値の変更は、降圧チョッパ部３１におけるスイッチング素子Ｑｘの動作デューティを調整することで達成できる。
【００７５】
すなわち、降圧チョッパ部３１のスイッチング素子Ｑｘは、電力制御部３４が出力するゲート信号Ｇｘのデューティに応じたスイッチング周波数でオン／オフし、これによって放電ランプ１０に供給される電力が変化する。例えば放電ランプ１０への供給電力を上昇させたい場合、電力制御部３４は、所望の電力値となるようにゲート信号Ｇｘのデューティを上げる制御を行う。
【００７６】
電力制御部３４は、給電部３の抵抗Ｒｘを流れる電流値及び分圧抵抗Ｖｘが示す電圧値に基づいてゲート信号Ｇｘのデューティ比を適宜変更し、入力される電力を目標とする電力値（制御電力値）に維持させるためのフィードバック制御を行う。
【００７７】
（パルス発生部）
パルス発生部４は、パルス発生回路４１、制御パターン設定部４２、及びメモリ部４３を備え、発生したパルス波ＰをＤＣ／ＡＣ部３２のドライバ３５に出力する。前述したように、このパルス波に基づいて、ＤＣ／ＡＣ部３２のスイッチング素子Ｑ１〜Ｑ４に対するスイッチング制御が行われる。
【００７８】
メモリ部４３には、制御パターンに関する情報、及びランプ電圧に応じた各制御パターンの連続実行回数に関する情報が格納されている。制御パターン設定部４２は、分圧抵抗Ｖｘからの信号に基づいて、放電ランプ１０に印加される電圧（ランプ電圧）を検出し、メモリ部４３に格納されている情報に基づいて、実行される制御パターンを設定する。パルス発生回路４１は、制御パターン設定部４２によって設定された制御パターンに基づいてパルス波Ｐを出力する。ここでいう「制御パターン」とは、所定の時間内におけるパルス波の形状を示すパターンであり、詳細については後述される。
【００７９】
カラーホイール６３の色領域の切替タイミングに同期して、制御処理部６９が同期信号Ｓｂを出力する仕組みについて、図３を再度参照して説明する。
【００８０】
上述したように、制御処理部６９は、ＤＶＤプレーヤーやパソコンなどの映像出力機器７０からの画像信号を受け付け、画像信号の垂直同期信号Ｓｚに応じた回転制御信号Ｓｄをカラーホイール駆動部６８へ出力する。カラーホイール駆動部６８は、制御処理部６９からの回転制御信号Ｓｄに従って、カラーホイール６３を一定速度で回転させる。
【００８１】
制御処理部６９は、更に回転位置検出信号Ｓｃに基づいて、放電ランプ１０からの光がカラーホイール６３内の色領域の境界を通過するタイミング（スポークタイム）に同期させるための同期信号Ｓｂを生成し、点灯装置１に出力する。より詳細には、この同期信号Ｓｂは、パルス発生回路４１に供給される（図５参照）。パルス発生回路４１は、この同期信号Ｓｂのタイミングに基づいてパルス波Ｐの極性を反転させ、ＤＣ／ＡＣ変換部３２を介してランプ電流の極性を反転させる。
【００８２】
なお、図３では、点灯装置１から点灯検出信号Ｓａが制御処理部６９に出力される構成としている。これは、点灯装置１が正しく機能していることを制御処理部６９に認識させるための信号であるが、必ずしも必須の信号というわけではない。
【００８３】
（パルス波形）
以下、パルス発生部４から出力されるパルス波Ｐの波形について、図６Ａ〜図６Ｆの各図面を参照して説明する。
【００８４】
図６Ａ〜図６Ｆは、それぞれ本実施形態の点灯装置１が備えるパルス発生部４から出力されるパルス波Ｐのある時点における波形を模式的に示す図面である。上述したように、パルス発生部４は、制御パターン設定部４２によって設定された制御パターンに基づいてパルス波Ｐを生成する。図６Ａ〜図６Ｆは、それぞれ異なる制御パターンに対応したパルス波Ｐの波形を示す図面である。以下では、図６Ａ〜図６Ｆに対応する制御パターンを、それぞれ制御パターンＡ〜Ｆと呼ぶ。
【００８５】
本実施形態では、図４を参照して説明したように、カラーホイール６３が５つの色領域に分割されている場合を想定する。つまり、カラーホイール６３が１回転するのに要する時間Ｔ１は５つのセグメント期間（ｓｇ１〜ｓｇ５）に分割され、各セグメント期間の切り替わりタイミングに基づいてパルス波Ｐの波高値が必要に応じて変化する。なお、各セグメント期間（ｓｇ１〜ｓｇ５）の長さは、カラーホイール６３によって構成される各色領域の面積の比率に応じて変化する。
【００８６】
また、本実施形態の構成では、光集光領域７２を通過する色毎に、好ましい波高値の比率が設定されている場合が想定されている。例えば、セグメントｓｇ２とセグメントｓｇ４との間でパルス波Ｐの波高値が異なっているのは、それぞれのセグメントに対応した色に応じた波高値に設定されるためである。このような色ごとの波高値の比率に関する情報は、例えばメモリ部４３内に格納されているものとして構わない。
【００８７】
図６Ａは、ある制御パターン（ここでは「制御パターンＡ」と呼ぶ）に対応したパルス波Ｐの波形を示す図面である。本実施形態では、この制御パターンＡを初め、制御パターンＢ〜Ｆの全てが、カラーホイール６３が４回転する間に生成される波形が繰り返される制御態様であるとする。
【００８８】
制御パターンＡにおいては、時刻ｔ0〜ｔ5の間に各セグメント期間（ｓｇ１〜ｓｇ５）でそれぞれ極性が反転するようなパルス波Ｐが生成される。次に、時刻ｔ5〜ｔ10の間に、時刻ｔ0〜ｔ5の間に生成された波形に対して全ての極性を反転させた状態でパルス波Ｐが生成される。次に、時刻ｔ10〜ｔ15の間に、時刻ｔ0〜ｔ5の間に生成された波形に対して全ての極性を反転させた状態でパルス波Ｐが生成される。次に、時刻ｔ15〜ｔ20の間に、時刻ｔ0〜ｔ5の間に生成された波形と同一のパルス波Ｐが生成される。以下、この制御パターンＡは、このように、カラーホイール６３が４回転する間に生成される波形が繰り返される態様である。
【００８９】
図６Ｂに示す制御パターンＢのパルス波Ｐの波形は、図６Ａに示す制御パターンＡのパルス波Ｐの波形と比較して、カラーホイール６３が４回転する間に極性が反転する回数（極性反転頻度）が少なくなっている。
【００９０】
図６Ｃに示す制御パターンＣのパルス波Ｐの波形は、図６Ｂに示す制御パターンＢのパルス波Ｐの波形と比較して、カラーホイール６３が４回転する間に極性が反転する回数（極性反転頻度）が少なくなっている。
【００９１】
図６Ｄに示す制御パターンＤのパルス波Ｐの波形は、図６Ｃに示す制御パターンＣのパルス波Ｐの波形と比較して、カラーホイール６３が４回転する間に極性が反転する回数（極性反転頻度）が少なくなっている。
【００９２】
図６Ｅに示す制御パターンＥのパルス波Ｐの波形は、図６Ｄに示す制御パターンＤのパルス波Ｐの波形と比較して、カラーホイール６３が４回転する間に極性が反転する回数（極性反転頻度）が少なくなっている。
【００９３】
図６Ｆに示す制御パターンＦのパルス波Ｐの波形は、図６Ｅに示す制御パターンＥのパルス波Ｐの波形と比較して、カラーホイール６３が４回転する間に極性が反転する回数（極性反転頻度）が少なくなっている。
【００９４】
パルス発生部４は、制御パターン設定部４２において設定された制御パターンに基づいてパルス波Ｐを生成する。このとき、同一種類の制御パターンが所定の回数だけ繰り返された後、異なる制御パターンに遷移される。制御パターン設定部４２は、パルス波Ｐの極性反転頻度が徐々に上昇するように制御パターンの種類を変化させ、極性反転頻度が最大値に達した後は、極性反転頻度が徐々に低下するように制御パターンの種類を変化させる。
【００９５】
一例として、ランプ電圧がＶ１である場合、以下のような態様でパルス波Ｐが生成される。この繰り返し回数に関する情報は、メモリ部４３に格納されている。
【００９６】
まず、制御パターンＡが５０回繰り返し実行される。
次に、制御パターンＢが４０回繰り返し実行される。
次に、制御パターンＣが３０回繰り返し実行される。
次に、制御パターンＤが２０回繰り返し実行される。
次に、制御パターンＥが１０回繰り返し実行される。
次に、制御パターンＦが５回繰り返し実行される。
次に、制御パターンＥが１０回繰り返し実行される。
次に、制御パターンＤが２０回繰り返し実行される。
次に、制御パターンＣが３０回繰り返し実行される。
次に、制御パターンＢが４０回繰り返し実行される。
次に、制御パターンＡが５０回繰り返し実行される。
以下、このような制御が繰り返される。
【００９７】
このように制御パターンの種類を変化させながらパルス波Ｐが生成される場合、従来の制御方法と比較して、極性反転の回数の変化を小さくすることができる。そして、このように、極性反転の回数の変化を小さくしながらも、極性が一方向に維持される時間帯を一定の割合で設けることができる。これにより、極性反転の回数が大幅に変化することによるチラツキの視認を抑制しながらも、電極形状の安定化を図ることができる。
【００９８】
更に、ランプ電圧がＶ１よりも高い電圧Ｖ２である場合、以下のような態様でパルス波Ｐが生成される。この繰り返し回数に関する情報は、メモリ部４３に格納されている。
【００９９】
まず、制御パターンＡが５回繰り返し実行される。
次に、制御パターンＢが１０回繰り返し実行される。
次に、制御パターンＣが２０回繰り返し実行される。
次に、制御パターンＤが３０回繰り返し実行される。
次に、制御パターンＥが４０回繰り返し実行される。
次に、制御パターンＦが５０回繰り返し実行される。
次に、制御パターンＥが４０回繰り返し実行される。
次に、制御パターンＤが３０回繰り返し実行される。
次に、制御パターンＣが２０回繰り返し実行される。
次に、制御パターンＢが１０回繰り返し実行される。
次に、制御パターンＡが５回繰り返し実行される。
以下、このような制御が繰り返される。
【０１００】
ランプ電圧がＶ１よりも高いＶ２になると、極性反転の回数が最も少ない制御パターンＦの繰り返し回数は増加している。ランプ電圧が高くなっている状況においては、放電ランプ１０に投入される電流が低くなるため、ランプ電圧が低い状況と同じ時間だけ同一極性を維持したとしても、十分に電極を溶融することができない可能性がある。そこで、極性が反転する頻度が最も低い制御パターンＦについては、電極のトリートメントを確実に行うべく、ランプ電圧が低い場合よりも繰り返し回数を多く設定されている。
【０１０１】
なお、同様の観点から、全ての制御パターンのうち、極性反転の回数が１／２よりも少ない制御パターンについては、ランプ電圧がＶ２の場合の繰り返し回数を、ランプ電圧がＶ１の場合の繰り返し回数よりも多く設定するものとしても構わない。
【０１０２】
なお、この例では、ランプ電圧がＶ１よりも高いＶ２になると、極性反転の回数が最も多い制御パターンＡの繰り返し回数を減少させている。これは、極性反転の回数が少ない制御パターンＦの登場頻度を高める目的であるが、少なくとも、制御パターンＦの繰り返し回数が増加する態様であれば、制御パターンＡの繰り返し回数を減少させることは必ずしも必須ではない。同様の観点から、全ての制御パターンのうち、極性反転の回数が１／２以上の制御パターンについては、ランプ電圧がＶ２の場合の繰り返し回数を、ランプ電圧がＶ１の場合の繰り返し回数以下に設定しても構わない。
【０１０３】
メモリ部４３は、ランプ電圧と各制御パターンの繰り返し回数との関係を示す情報を、例えばデータテーブルや関数の形で記憶しているものとすることができる。制御パターン設定部４２は、検出されるランプ電圧に応じて、各制御パターンの繰り返し回数をメモリ部４３から読み出して設定し、この情報をパルス発生回路４１に出力する。パルス発生回路４１は、制御パターン設定部４２によって設定された制御パターンに基づいてパルス波Ｐを発生させる。例えば、極性反転の回数が最も少ない制御パターンＦについては、ランプ電圧が高くなるほど繰り返し回数が増加するように、メモリ部４３において記憶されているものとしても構わない。
【０１０４】
図７Ａは、本実施形態の点灯装置によって点灯制御された場合における放電ランプ１０から発せられる光の照度変動率を、周波数毎に解析してグラフ化したものである。また、図７Ｂは、所定のタイミングで制御パターンＡとＦを適宜切り替えながら点灯制御した場合における、放電ランプ１０から発せられる光の照度変動率を、周波数毎に解析してグラフ化したものである。図７Ｂは、一定の時間内における極性反転の頻度が最も多い制御パターンと、最も低い制御パターンとを用いて点灯制御する場合を想定したものであり、従来の制御方法を模擬したものに対応する。いずれの図面も、図２に示したチラツキ視認臨界変動率のグラフに重ねて図示している。なお、図７Ａ及び図７Ｂにおいては、チラツキ視認臨界変動率のグラフを破線にて示している。
【０１０５】
いずれの結果も、点灯装置によって点灯された放電ランプから放射された光をスクリーン上に投影し、当該スクリーンの照度をフォトセンサによって計測したものを離散フーリエ変換（ＤＦＴ）によって周波数解析を行うことで得られたものである。
【０１０６】
図７Ｂによれば、比較的視感度が高い周波数領域（５Ｈｚ〜２０Ｈｚ）において、チラツキ視認臨界変動率を超える照度変動率を示している。このことは、照度の変動に起因したチラツキが視認されていることを意味する。これに対し、図７Ａによれば、比較的視感度が高い周波数領域を含む全ての周波数領域において、チラツキ視認臨界変動率より低い照度変動率が示されている。このことは、照度の変動に起因したチラツキが視認されないことを意味する。
【０１０７】
［別実施形態］
以下、別実施形態について説明する。
【０１０８】
〈１〉  上述した各制御パターンが示す波形や繰り返し回数、及び制御パターンの種類数はあくまで一例である。少なくとも、同一の時間内における極性反転頻度が異なる３種類以上の制御パターンが存在しており、同一種類の制御パターンを、所定回数だけ繰り返して実行した後、極性反転頻度が最小値から最大値に達するまで低下させることなく増加し、最大値に達した後に最小値に達するまで増加させることなく低下するように、各制御パターンを組み合わせながら実行する態様であれば、本発明の範囲内である。
【０１０９】
また、各制御パターンが、カラーホイール６３が４回転する時間を１単位として設定されているが、この単位時間をどのように設定するかについても任意である。
【０１１０】
〈２〉  上述した実施形態では、ランプ電圧がＶ１であるか、Ｖ１よりも高いＶ２であるかによって、少なくともいずれかの制御パターンの繰り返し数が変化する旨を記載した。より詳細には、ランプ電圧がＶ１よりも高いＶ２になると、全ての制御パターンのうち、極性反転の回数が１／２以上の制御パターンについては、ランプ電圧がＶ２の場合の繰り返し回数を、ランプ電圧がＶ１の場合の繰り返し回数以下に設定するものとしても構わない旨を記載した。
【０１１１】
ここで、全ての制御パターンのうち、極性反転の回数が１／２以上の制御パターンについては、ランプ電圧が高くなるに連れて、繰り返し回数が減少するものとしても構わない。逆に、全ての制御パターンのうち、極性反転の回数が１／２未満の制御パターンについては、ランプ電圧が高くなるに連れて、繰り返し回数が増加するものとしても構わない。このように設定されることで、ランプ電圧が上昇するに伴って、一対の電極間に同一極性のパルス波が印加される時間が相対的に上昇し、より確実に電極のトリートメントを行うことができる。
【０１１２】
この場合であっても、極性反転の頻度が最大値になるまで徐々に増加させ、その後、最小値になるまで徐々に減少させる処理内容を繰り返しながら制御パターンが切り替えられるため、従来よりもチラツキとして視認されにくい駆動制御を実現することができる。
【符号の説明】
【０１１３】
１      ：    点灯装置
３      ：    給電部
４      ：    パルス発生部
１０      ：    放電ランプ
１１      ：    発光部
１２      ：    封止部
１３      ：    金属箔
１４      ：    外部リード
２０ａ、２０ｂ      ：    電極
２１      ：    突起
２２      ：    放電アーク
２３      ：    微小突起
２９ａ、２９ｂ      ：    電極の頭部
３０ａ、３０ｂ      ：    電極の軸部
３１      ：    降圧チョッパ部
３２      ：    ＤＣ／ＡＣ変換部
３３      ：    スタータ部
３４      ：    電力制御部
３５      ：    ドライバ
４１      ：    パルス発生回路
４２      ：    制御パターン設定部
４３      ：    メモリ部
６０      ：    画像形成装置
６１      ：    光源装置
６２      ：    凹面反射鏡
６３      ：    カラーホイール
６４      ：    ロッドインテグレータ
６５      ：    光学素子
６６      ：    ＤＭＤ素子
６７      ：    光学系
６８      ：    カラーホイール駆動部
６９      ：    制御処理部
７０      ：    映像出力機器
７１      ：    デバイス制御部
７２      ：    光集光領域
７５      ：    スポーク
【図１】
2018018721.tif 000003
【図２】
2018018721.tif 000004
【図３】
2018018721.tif 000005
【図４】
2018018721.tif 000006
【図５】
2018018721.tif 000007
【図６Ａ】
2018018721.tif 000008
【図６Ｂ】
2018018721.tif 000009
【図６Ｃ】
2018018721.tif 000010
【図６Ｄ】
2018018721.tif 000011
【図６Ｅ】
2018018721.tif 000012
【図６Ｆ】
2018018721.tif 000013
【図７Ａ】
2018018721.tif 000014
【図７Ｂ】
2018018721.tif 000015
【図８Ａ】
2018018721.tif 000016
【図８Ｂ】
2018018721.tif 000017
【図９Ａ】
2018018721.tif 000018
【図９Ｂ】
2018018721.tif 000019
【図１０】
2018018721.tif 000020